(57)【要約】      （修正有）【課題】組み立てや移動が簡便であり、工場内等における使用の利便性を高めることのできる解凍装置を提供する。【解決手段】解凍装置１であって、温風発生装置１０と、温風発生装置１０により発生された温風を取り入れ可能であるとともに対象物を収容可能な解凍ボックス３０とを備え、解凍ボックス３０は、天板３２及び各側板３４が、隣り合う他の側板３４及び天板３２との連接部位において、解凍ボックス３０内部を密閉可能にかつ着脱自在に固定可能な面ファスナー５０を備えた。【選択図】図１
0003222719.tif 000002
【実用新案登録請求の範囲】
【請求項１】
温風発生装置と、前記温風発生装置により発生された温風を取り入れ可能であるとともに解凍対象物を収容可能な解凍ボックスとを備え、
前記解凍ボックスは、少なくとも一つの側板が、前記解凍ボックスの他の部位との連接部位において、前記解凍ボックス内部を密閉可能にかつ着脱自在に固定可能な面ファスナーを備えた解凍装置。
【請求項２】
前記解凍ボックスは、天板及び複数の側板から構成されるとともに、前記天板及び前記各側板は、隣り合う他の側板及び天板との連接部位において、前記解凍ボックス内部を密閉可能にかつ着脱自在に固定可能な面ファスナーを備えた請求項１に記載の解凍装置。
【請求項３】
前記天板及び前記複数の側板は、それぞれ二分割されており、それぞれ二分割された天板部又は側板部同士が、その連接部位において、前記解凍ボックス内部を密閉可能にかつ着脱自在に固定可能な面ファスナーを備えた請求項２に記載の解凍装置。
【請求項４】
前記天板又は前記側板の内側表面には、フッ素樹脂コーティングクロスが備えられている請求項１から請求項３のいずれかに記載の解凍装置。
【請求項５】
前記天板又は前記側板の外側表面には、塩化ビニルコーティングクロスが備えられている請求項１から請求項４のいずれかに記載の解凍装置。
【請求項６】
前記天板又は前記側板の内部には、独立気泡構造を備えた断熱材が備えられている請求項１から請求項５のいずれかに記載の解凍装置。
【考案の詳細な説明】
【技術分野】
【０００１】
この考案は、食品材料等の冷凍された対象物を解凍するための解凍装置に関する。
【背景技術】
【０００２】
食品工場等において、冷凍された加工物、例えば調味料や果汁等の冷凍食品を解凍するための解凍装置が用いられている。従来の解凍装置は温水や蒸気等を使用して解凍するものであったため、カビの発生や工場内の床が濡れてしまう等の問題が生じていた。このため近年では、温風を発生させる温風発生装置を備え、温風を利用した解凍する解凍装置が用いられる場合がある。この解凍装置では、温水や蒸気等を用いる解凍装置に比べて水分の発生が少ないため、上記のようなカビの発生や工場内の床が濡れてしまうおそれが少ない。また、温水や蒸気等を用いる解凍装置に比べて解凍装置内の温度分布を均一に保ちやすいため、冷凍食品を均一に解凍できるという効果ももたらされる（特許文献１参照）。なお、冷凍食品の解凍以外にも、寒冷地の建設現場等において水性塗料やコーキング等が凍結すると使用できなくなるため、このような建設材料等の凍結防止のためにも、このような解凍装置が用いられることがある。以下では、このような凍結防止のために用いる装置も「解凍装置」として説明する。
【先行技術文献】
【特許文献】
【０００３】
【特許文献１】特開２０１８−１２８２３８号公報
【考案の概要】
【考案が解決しようとする課題】
【０００４】
従来の解凍装置では、簡易に組み立てることは困難であり、また一度設置すると他の場所に移動させることは困難である。特に、１０００Ｌの内容物を収納可能であり主に液体保管用に用いられる国際的な物流容器「ＩＢＣコンテナ」程度の大きさの容器を収容可能な大きさの解凍装置では、設置場所の移動等は容易ではなく、組み立てや移動が煩雑であるという問題があった。
【０００５】
本考案が解決しようとする目的は、前述の従来技術の問題点を解決するものであり、組み立てや移動が簡便であり、工場内等における使用の利便性を高めることのできる解凍装置を提供することにある。
【課題を解決するための手段】
【０００６】
上記課題を解決するものは以下のものである。
（１）本考案の第一の手段の解凍装置は、
温風発生装置と、前記温風発生装置により発生された温風を取り入れ可能であるとともに対象物を収容可能な解凍ボックスとを備え、
前記解凍ボックスは、少なくとも一つの側板が、前記解凍ボックスの他の部位との連接部位において、前記解凍ボックス内部を密閉可能にかつ着脱自在に固定可能な面ファスナーを備えた解凍装置。
（２）本考案の第二の手段の解凍装置は、前記解凍ボックスは、天板及び複数の側板から構成されるとともに、前記天板及び前記各側板は、隣り合う他の側板及び天板との連接部位において、前記解凍ボックス内部を密閉可能にかつ着脱自在に固定可能な面ファスナーを備えた（１）に記載の解凍装置。
（３）本考案の第三の手段の解凍装置は、前記天板及び前記複数の側板は、それぞれ二分割されており、それぞれ二分割された天板部又は側板部同士が、その連接部位において、前記解凍ボックス内部を密閉可能にかつ着脱自在に固定可能な面ファスナーを備えた（２）に記載の解凍装置。
【０００７】
（４）前記天板又は前記側板の内側表面には、フッ素樹脂コーティングクロスが備えられている（１）から（３）のいずれかに記載の解凍装置。
（５）前記天板又は前記側板の外側表面には、塩化ビニルコーティングクロスが備えられている（１）から（４）のいずれかに記載の解凍装置。
（６）前記天板又は前記側板の内部には、独立気泡構造を備えた断熱材が備えられている（１）から（５）のいずれかに記載の解凍装置。
【考案の効果】
【０００８】
本考案の解凍装置は、上記したように、解凍ボックスには解凍ボックス内部を密閉可能にかつ着脱自在に固定可能な面ファスナーを備えているので、解凍ボックスの組み立てに特別な工具を要しない。また、機械的な連結部品等も必要ない。したがって、組み立てが容易であり、また一旦設置した後に別の場所に移動することが容易な解凍装置とすることができる。また、天板及び側板のすべてに、解凍ボックス内部を密閉可能にかつ着脱自在に固定可能な面ファスナーを備えることとすると、既に配置済みの収容物を囲うようにして解凍ボックスを組み立てることができるので、工場内等において簡易に組み立てることが可能であり、また設置場所を変更することも容易とすることができる。
【図面の簡単な説明】
【０００９】
【図１】図１は、本考案の解凍装置の一部透視正面図である。
【図２】図２は、本考案の解凍装置の解凍ボックスの斜視図である。
【図３】図３は、本考案の解凍装置の解凍ボックスの組立図である。
【図４】図４は、本考案の解凍装置の解凍ボックスの蓋を示す図である。
【考案を実施するための形態】
【００１０】
本考案の解凍装置について、図面を参照して詳細に説明する。本考案の解凍装置１は、図１に示されるように、温風発生装置１０と、温風発生装置１０に接続されて温風を吸入可能な解凍ボックス３０とを備えている。解凍ボックス２０を構成する天板３２並びに４枚の天板３２、第一側板３４、第二側板３６、第三側板３８及び第四側板４０は、それぞれ別体に構成されている。一方、それぞれ隣り合う第一側板３４，第二側板３６，第三側板３８及び第四側板４０並びに天板３２との連接部位において、面ファスナー５０によって解凍ボックス３０の内部空間を密閉可能に、かつ着脱自在に、それぞれを固定可能に構成されている。面ファスナー５０は、例えば「ベルクロファスナー」（登録商標）や「マジックテープ」（登録商標）等を用いることができるが、他の面ファスナーを用いても良い。
【００１１】
温風発生装置１０はおおよそ直方体状の縦長の全体形状に形成されており、その内部には、図１に示されるように、ヒーター１２、送風機１４及びデミフィルター１６が収納されている。ヒーター１２はヒーター電力５ＫＷのものを用いている。また送風機１４は７．５ｍ３／ｍｉｎの風量及び１．１５ｋｐａの最大静圧のものを用いている。デミフィルター１６は空気中に含まれる油分などのミストを簡単に除去することのできる耐熱フィルターであり、本例では２６０℃までの耐熱性能を有する。そしてヒーター１２の下流側には排気ダクト１８が接続されて、排気ダクト１８の下流側は解凍ボックス３０側に接続されている。また、デミフィルター１６の上流側には吸気ダクト１９が接続されており、吸気ダクト１９の上流側は解凍ボックス３０側に接続されている。また、温風発生装置１０の底面にはキャスター２０が取り付けられており、移動が容易に構成されている。
【００１２】
このようにして、ヒーター１２及び送風機１４により発生させられる温風は排気ダクト１８を通じて解凍ボックス３０側に送出される。また解凍ボックス３０内にいったん送出された温風は吸気ダクト１９を通じて再び温風発生装置１０内に送入される。温風発生装置１０内に送入された温風はデミフィルター１６により油分等を含んだミストを除去されて、再び送風機１４によって排気ダクト１８側に循環送出される。
【００１３】
また、図示は省略するが、温風発生装置１０の外部表面には、スタートスイッチ、非常停止スイッチ及び温度調整器が配設されている。温風の温度は、この温度調整器によって調整可能とされている。なお、本例の本温風発生装置１０によっては、室温〜１２０℃の温風を発生させることができるように構成されている。
【００１４】
ついで解凍ボックス３０について説明する。解凍ボックス３０は、図２に示されるように、解凍対象となる冷凍食品等の被解凍物を収容可能な立方体形状に全体が形成されており、本例ではＷ１５００×Ｄ１５００×Ｈ１５００ｍｍのサイズとされている。そして、図３に示さるように、天板３２、第一側板３４、第二側板３６、第三側板３８及び第四側板４０から構成されている。一方、本例では底板に相当する部材は省略されている。また本例では、天板３２、第一側板３４、第二側板３６、第三側板３８及び第四側板４０は、それぞれが二分割され、左天板部３２ａ及び右天板部３２ｂ、左第一側板部３４ａ及び右第一側板部３４ｂ、左第二側板部３６ａ及び右第二側板部３６ｂ、左第三側板部３８ａ及び右第三側板部３８ｂ、左第四側板部４０ａ及び右第四側板部４０ｂからそれぞれ構成されている。そしてこれらそれぞれの二分割された各側板部の連接部位においても、面ファスナー５０によって解凍ボックス３０の内部空間を密閉可能に、かつ着脱自在に、それぞれを固定可能に構成されている。このように天板３２、第一側板３４、第二側板３６、第三側板３８及び第四側板４０が二分割されていることにより、解凍ボックス３０を組み立てる際の各部材の重量・大きさを小さくすることができるので、解凍ボックス３０の組み立てや解体をよりいっそう容易に行うことができる。
【００１５】
また、図２及び図３に示されるように、左第二側板部３６ａの上方寄りに、解凍ボックス３０から延出された排気ダクト１８が挿嵌される第一接続口３７ａと、同じく下方寄りに、解凍ボックス３０から延出された吸気ダクト１９が挿嵌される第二接続口３７ｂとが開口されている。また、左第一側板部３４ａの上方寄りには、蓋３５が設けられている。図４に示されるように、この蓋３５は開閉自在に取り付けられており、内部を目視すること、及び不要な場合には面ファスナー５０により密閉することが可能である。
【００１６】
また、天板３２、第一側板３４、第二側板３６、第三側板３８及び第四側板４０は外部表面側が塩化ビニルコーティングクロス仕様とされており、防火・防災仕様とされており、内部表面側はフッ素樹脂）コーティングクロス仕様とされており、解凍ボックス３０内で結露が発生しても内部に染み込み難く設けられている。また、内部に収容される断熱材はポリイソシアヌレートフォーム（国土交通大臣認定の不燃材料認定取得品）であり、また、独立気泡構造を有しているため、防湿性が高く、かつ水が染み込みにくい構造となっている。また、熱伝導率０．０２０Ｗ（ｍ・Ｋ）（グラスウールの厚さ５０ｍｍ相当）であり保温力も高い。そしてこのような材質の左天板部３２ａ及び右天板部３２ｂ、左第一側板部３４ａ及び右第一側板部３４ｂ、左第二側板部３６ａ及び右第二側板部３６ｂ、左第三側板部３８ａ及び右第三側板部３８ｂ、左第四側板部４０ａ及び右第四側板部４０ｂのそれぞれの重量は、１枚辺り約２．５ｋｇであり、解凍ボックス３０全体でも約２５ｋｇと軽く扱い易く設けられている。またこの解凍ボックス３０の耐熱温度は１２０℃である。
【００１７】
このように構成された解凍装置１は、本例ではその内部に「ＩＢＣコンテナ」（ドラム缶４本分のスペースで、１０００Ｌの内容物を収納できる主に液体用の国際間で利用されている物流容器）を収容可能な程度の大きさを有している。これらの収容物をその内部に収容した後に温風を発生させると、内容物の解凍や凍結防止を行うことができる。そして、温風発生装置１０から発生させられた温風を循環して解凍や凍結防止を行うこととしているので、解凍ボックス３０内の温度を均一にかつ安定させることができる。したがって、収容物の均一な解凍や凍結防止を行うことが可能となる。よって、例えば冷凍食品の場合にはドリップの発生等を抑制することができ、したがって解凍された食品等の食味や食感が損なわれることが少ない。
【００１８】
そして一方、解凍ボックス３０を組み立てる際には、予め置かれているＩＢＣコンテナ等の収容物の周りを順次囲むように第一側板３４，第二側板３６、第三側板３８及び第四側板４０を立設及び連設し、最後に上部に天板３２を被せるように連設して組み立てることができる。したがって例えば、ＩＢＣコンテナ等の収容物の置かれた場所においてそのまま、収容物を取り囲むように簡便に解凍ボックス３０を組み立てることができる。
【００１９】
また前述したように、解凍ボックス３０を構成する第一側板３４，第二側板３６、第三側板３８及び第四側板４０はそれぞれ独立した部材となっており、重量も嵩まない。よって、運搬・収容・組立ての際に必要とされる作業を簡便なものとすることができる。さらには本例では第一側板３４，第二側板３６、第三側板３８及び第四側板４０はそれぞれが二分割された部材とされており、それぞれの部材の重量をさらに低減している。したがって、運搬・収容・組立ての際に必要とされる作業を簡便なものとすることができる。また、それぞれの部材同士の固定を面ファスナーにより行っているので、特別な工具を要せず組立て・分解を行うことできる。また、機械的な連結部品等も必要なく重量は嵩まない。したがって、組み立てが極めて容易であり、また一旦設置した後に別の場所に移動して組み立てることも極めて容易である。
【００２０】
本考案は前述の例に限られず、本考案の主旨の範囲内で適宜の変更が可能である。例えば、解凍ボックス３０を構成する各部材の材質等は、必要とされる範囲内で適宜他のものに変更することして良い。解凍ボックス３０の形状は、本例では立方体形状としたが他の形状としても良い。
【産業上の利用可能性】
【００２１】
本考案は冷凍食品等、冷凍されたものを解凍するためや建設材料等の凍結防止を行う解凍装置に広く用いることができる。
【符号の説明】
【００２２】
１；解凍装置、１０；温風発生装置、１２；ヒーター、１４；送風機、１６；デミフィルター、１８；排気ダクト、１９；吸気ダクト、２０；キャスター、３０；冷凍ボックス、３２；天板、３２ａ；左天板部、３２ｂ；右天板部、３４；第一側板、３４ａ；左第一側板部、３４ｂ；右第一側板部、３５；蓋、３６；第二側板、３６ａ；左第二側板部、３６ｂ；右第二側板部、３７ａ；第一接続口、３７ｂ；第二接続口、３８；第三側板、３８ａ；左第三側板部、３８ｂ；右第三側板部、４０；第四側板、４０ａ；左第四側板部、４０ｂ；右第四側板部、５０；面ファスナー。
【図１】
0003222719.tif 000003
【図２】
0003222719.tif 000004
【図３】
0003222719.tif 000005
【図４】
0003222719.tif 000006
【手続補正書】
【提出日】令和1年6月25日(2019.6.25)
【手続補正１】
【補正対象書類名】実用新案登録請求の範囲
【補正対象項目名】全文
【補正方法】変更
【補正の内容】
【実用新案登録請求の範囲】
【請求項１】
温風発生装置と、前記温風発生装置により発生された温風を取り入れ可能であるとともに解凍対象物を収容可能な解凍ボックスとを備え、
前記解凍ボックスは、少なくとも一つの側板が、前記解凍ボックスの他の部位との連接部位において、前記解凍ボックス内部を密閉可能にかつ着脱自在に固定可能な面ファスナーを備えた解凍装置。
【請求項２】
前記解凍ボックスは、天板及び複数の側板から構成されるとともに、前記天板及び前記各側板は、隣り合う他の側板及び天板との連接部位において、前記解凍ボックス内部を密閉可能にかつ着脱自在に固定可能な面ファスナーを備えた請求項１に記載の解凍装置。
【請求項３】
前記天板及び前記複数の側板は、それぞれ二分割されており、それぞれ二分割された天板部又は側板部同士が、その連接部位において、前記解凍ボックス内部を密閉可能にかつ着脱自在に固定可能な面ファスナーを備えた請求項２に記載の解凍装置。
【請求項４】
前記天板又は前記側板の内側表面には、フッ素樹脂コーティングクロスが備えられている請求項２または請求項３のいずれかに記載の解凍装置。
【請求項５】
前記天板又は前記側板の外側表面には、塩化ビニルコーティングクロスが備えられている請求項２から請求項４のいずれかに記載の解凍装置。
【請求項６】
前記天板又は前記側板の内部には、独立気泡構造を備えた断熱材が備えられている請求項２から請求項５のいずれかに記載の解凍装置。
【手続補正２】
【補正対象書類名】明細書
【補正対象項目名】０００７
【補正方法】変更
【補正の内容】
【０００７】
（４）前記天板又は前記側板の内側表面には、フッ素樹脂コーティングクロスが備えられている（２）または（３）のいずれかに記載の解凍装置。
（５）前記天板又は前記側板の外側表面には、塩化ビニルコーティングクロスが備えられている（２）から（４）のいずれかに記載の解凍装置。
（６）前記天板又は前記側板の内部には、独立気泡構造を備えた断熱材が備えられている（２）から（５）のいずれかに記載の解凍装置。